(57)【要約】      （修正有）【課題】施工が簡単で大きな取付スペースが不要で安価に提供できる建物内の通気構造及び建物内の通気構造形成装置を提供する。【解決手段】通気性を確保すべく一の部屋の第一壁２と他の部屋の第二壁３の間に設けられる通気構造１であって、第一壁の第一透孔４と、第二壁の第二透孔と、第一透孔４周縁部を被って第一壁２に固定された第一取付枠８と、第二壁３の第二透孔周縁部を被って第二壁３に固定された第二取付枠９と、周壁が蛇腹形状に設けられて可撓性を備え一端側が第一取付枠８に接続され他端側が前記第二取付枠９に接続され両端開口が第一透孔４及び第二透孔に臨むように配設された通気ダクト７と、通気ダクト７の通気性を確保し第一透孔４を覆うように第一取付枠８に取り付けられた第一化粧プレート１０と、通気ダクト７の通気性を確保しつつ第二透孔を覆うように第二取付枠９に取り付けられた第二化粧プレート１１とからなる。【選択図】図１
2006105563.tif 000002
【特許請求の範囲】
【請求項１】
建物内において、一の部屋と他の部屋との間の通気性を確保すべく、前記一の部屋の壁を構成する第一壁と、他の部屋の壁を構成する第二壁との間に設けられる通気構造であって、
前記第一壁に穿設された第一透孔と、
前記第二壁に穿設された第二透孔と、
前記第一壁の第一透孔周縁部を被って、該第一壁に固定された第一取付枠と、
前記第二壁の第二透孔周縁部を被って、該第二壁に固定された第二取付枠と、
周壁が長手方向に連続する蛇腹形状に設けられて可撓性を備え、一端側が前記第一取付枠に接続されるとともに他端側が前記第二取付枠に接続され、両端開口が前記第一透孔及び第二透孔に臨むように配設された通気ダクトと、
前記通気ダクトの通気性を確保しつつ前記第一透孔を覆うように、前記第一取付枠に取り付けられた第一化粧プレートと、
前記通気ダクトの通気性を確保しつつ前記第二透孔を覆うように、前記第二取付枠に取り付けられた第二化粧プレートと、
からなることを特徴とする建物内の通気構造。
【請求項２】
前記第一透孔及び第二透孔は、複数の円孔の一部が重合した状態で直列状に並設されたことを特徴とする請求項１に記載の建物内の通気構造。
【請求項３】
前記第一・第二取付枠は、前記蛇腹形状に設けられた通気ダクトの外面凹凸に係合する係合部を有し、前記第一・第二取付枠内に通気ダクトを挿入することにより、該ダクトを第一・第二取付枠に接続可能とすることを特徴とする請求項１又は請求項２に記載の建物内の通気構造。
【請求項４】
建物内において、一の部屋と他の部屋との間の通気性を確保すべく、前記一の部屋の壁を構成する第一壁と、前記他の部屋の壁を構成する第二壁との間に設けられる通気構造を形成する通気構造形成装置であって、
前記第一壁に形成された第一透孔周縁部の外面を被って第一壁に取り付けられる第一取付枠と、
前記第二壁に形成された第二透孔周縁部の外面を被って第二壁に取り付けられる第二取付枠と、
周壁が長手方向に連続する蛇腹形状に設けられて可撓性を備え、一端側が前記第一取付枠に接続されるとともに他端側が前記第二取付枠に接続され、両端開口が前記第一透孔及び第二透孔に臨むように配設された通気ダクトと、
前記通気ダクトの通気性を確保しつつ前記第一透孔を覆うように、前記第一取付枠に取り付けられた第一化粧プレートと、
前記通気ダクトの通気性を確保しつつ前記第二透孔を覆うように、前記第二取付枠に取り付けられた第二化粧プレートと、
からなることを特徴とする建物内の通気構造形成装置。
【請求項５】
前記第一，第二取付枠を第一壁，第二壁に取り付ける枠取付部を備えたことを特徴とする請求項４に記載の建物内の通気構造形成装置。
【請求項６】
前記第一，第二取付枠には、前記通気ダクトが挿通した状態で係合する通気ダクト取付孔が形成され、該通気ダクト取付孔の周囲は、前記第一，第二取付枠を前記第一，第二壁の表面に当接する壁面当接部になっていることを特徴とする請求項４又は請求項５に記載の建物内の通気構造形成装置。
【請求項７】
前記通気ダクト取付孔には、前記通気ダクトの周面に接して前記通気ダクトの姿勢を保持する通気ダクト支持部が形成されていることを特徴とする請求項６に記載の建物内の通気構造形成装置。
【請求項８】
前記通気ダクト取付孔には、前記通気ダクトを前記第一，第二取付枠に係合させる係合部が形成されていることを特徴とする請求項６又は請求項７に記載の建物内の通気構造形成装置。
【請求項９】
前記枠取付部は、第一，第二取付枠に設けられた螺子挿通孔と、該螺子挿通孔から第一，第二透孔内へ突出して設けられて、第一，第二取付枠の表面側から螺回操作が可能な螺子と、該螺子に回転可能に設けられ、該螺子の螺回操作によって該螺子の軸方向に移動可能な挟持部とを備え、
前記螺子の螺回操作によって前記第一，第二取付枠と挟持部とで第一，第二壁を挟持することにより、前記第一，第二取付枠を第一，第二壁に取り付け可能であることを特徴とする請求項５乃至請求項８の何れか1項に記載の建物内の通気構造形成装置。
【請求項１０】
前記第一，第二取付枠の前記螺子挿通孔の周囲には、前記螺子の螺回によって前記第一，第二取付枠と挟持部とで第一，第二壁を挟持する際に、前記螺子挿通孔の周囲を第一，第二壁の壁面に弾性的に押し付ける弾性押付部を備えたことを特徴とする請求項９に記載の建物内の通気構造形成装置。
【請求項１１】
前記弾性押付部は、前記第一，第二取付枠の前記螺子挿通孔の周囲を波型に形成することにより可撓性を有することを特徴とする請求項１０に記載の建物内の通気構造形成装置。
【発明の詳細な説明】
【技術分野】
【０００１】
本発明は建物内の通気構造、及び建物内の通気構造形成装置に関するものである。
【背景技術】
【０００２】
図１１は従来技術の通気構造（特許文献１）を示す。同図１１に示すように、従来技術による通気構造１００は、換気扇１０１に連通するメインダクト１０２を設け、該メインダクト１０２からは複数のダクト１０３を枝分かれさせて、各ダクト１０３を各部屋Ｒに導いて、換気口１０４として開口させる構造であった。
【特許文献１】特開平１１−１７３６２３号
【０００３】
そして、換気扇１０１を作動させると、各部屋Ｒ内の空気は、換気口１０４、ダクト１０３、メインダクト１０２を流通して、換気扇１０１から室外へ排気するものであった。
【発明の開示】
【発明が解決しようとする課題】
【０００４】
しかし、前述の従来技術においては、各部屋Ｒに通じるダクト１０３やメインダクト１０２を配管しなければならず、施工が大変で、施工がコスト高になるだけでなく、ダクト１０３やメインダクト１０２を配管するためのスペースが必要になり、しかも、ダクト１０３やメインダクト１０２の維持管理が面倒であるという問題があった。
【０００５】
このため、従来、各部屋Ｒのドアの下に、１ｃｍ以上の隙間を設け、当該隙間を通気口として機能させることにより、各部屋Ｒ内の空気を当該隙間を介して部屋から排出して例えば、廊下等に導いた後、換気扇から外部へ排気することが行われていた。このようにした場合、ドア下の隙間が、通気口として機能するため、各部屋にダクトを配管する等の施工が不要になるという利点があった。
【０００６】
しかし、部屋Ｒの床にジュウタンやカーペット等の敷物を敷いた場合には、敷物自体の厚みによって前述のドア下の隙間を塞ぎ易く、又、敷物が薄い場合であっても，敷物が捲くれて、前述のドア下の隙間を塞いだりし易く、通気が十分に行われない場合があるという問題があった。
った。
【０００７】
本発明は従来技術の問題点に鑑みて成されたもので、その目的は、施工が簡単で、且つ、大きな取付スペースが不要で、しかも、安価に提供できる建物内の通気構造、及び建物内の通気構造形成装置を提供するにある。
【課題を解決するための手段】
【０００８】
請求項１に記載の発明は、建物内において、一の部屋と他の部屋との間の通気性を確保すべく、前記一の部屋の壁を構成する第一壁と、他の部屋の壁を構成する第二壁との間に設けられる通気構造であって、
前記第一壁に穿設された第一透孔と、
前記第二壁に穿設された第二透孔と、
前記第一壁の第一透孔周縁部を被って、該第一壁に固定された第一取付枠と、
前記第二壁の第二透孔周縁部を被って、該第二壁に固定された第二取付枠と、
周壁が長手方向に連続する蛇腹形状に設けられて可撓性を備え、一端側が前記第一取付枠に接続されるとともに他端側が前記第二取付枠に接続され、両端開口が前記第一透孔及び第二透孔に臨むように配設された通気ダクトと、
前記通気ダクトの通気性を確保しつつ前記第一透孔を覆うように、前記第一取付枠に取り付けられた第一化粧プレートと、
前記通気ダクトの通気性を確保しつつ前記第二透孔を覆うように、前記第二取付枠に取り付けられた第二化粧プレートとからなることを特徴とするものである。
【０００９】
請求項２に記載の発明は、請求項１に記載の建物内の通気構造において、前記第一透孔及び第二透孔は、複数の円孔の一部が重合した状態で直列状に並設されたことを特徴とするものである。
【００１０】
請求項３に記載の発明は、請求項１に記載の建物内の通気構造において、前記第一・第二取付枠は、前記蛇腹形状に設けられた通気ダクトの外面凹凸に係合する係合部を有し、前記第一・第二取付枠内に通気ダクトを挿入することにより、該ダクトを第一・第二取付枠に接続可能とすることを特徴とするものである。
【００１１】
請求項４に記載の発明は、建物内において、一の部屋と他の部屋との間の通気性を確保すべく、前記一の部屋の壁を構成する第一壁と、前記他の部屋の壁を構成する第二壁との間に設けられる通気構造を形成する通気構造形成装置であって、
前記第一壁に形成された第一透孔周縁部の外面を被って第一壁に取り付けられる第一取付枠と、
前記第二壁に形成された第二透孔周縁部の外面を被って第二壁に取り付けられる第二取付枠と、
周壁が長手方向に連続する蛇腹形状に設けられて可撓性を備え、一端側が前記第一取付枠に接続されるとともに他端側が前記第二取付枠に接続され、両端開口が前記第一透孔及び第二透孔に臨むように配設された通気ダクトと、
前記通気ダクトの通気性を確保しつつ前記第一透孔を覆うように、前記第一取付枠に取り付けられた第一化粧プレートと、
前記通気ダクトの通気性を確保しつつ前記第二透孔を覆うように、前記第二取付枠に取り付けられた第二化粧プレートと、
前記第一，第二取付枠を第一壁，第二壁に取り付ける枠取付部とからなることを特徴とするものである。
【００１２】
請求項５に記載の発明は、請求項４に記載の建物内の通気構造形成装置において、前記第一，第二取付枠を第一壁，第二壁に取り付ける枠取付部を備えたことを特徴とするものである。
【００１３】
請求項６に記載の発明は、請求項４又は請求項５に記載の建物内の通気構造形成装置において、前記第一，第二取付枠には、前記通気ダクトが挿通した状態で係合する通気ダクト取付孔が形成され、該通気ダクト取付孔の周囲は、前記第一，第二取付枠を前記第一，第二壁の表面に取り付ける壁面当接部になっていることを特徴とするものである。
【００１４】
請求項７に記載の発明は、請求項６に記載の建物内の通気構造形成装置において、前記通気ダクト取付孔には、前記通気ダクトの周面に接して前記通気ダクトの姿勢を保持する通気ダクト支持部が形成されていることを特徴とするものである。
【００１５】
請求項８に記載の発明は、請求項６又は請求項７に記載の建物内の通気構造形成装置において、前記通気ダクト取付孔には、前記通気ダクトを前記第一，第二取付枠に係合させる係合部が形成されていることを特徴とするものである。
【００１６】
請求項９に記載の発明は、請求項５乃至請求項８の何れかに記載の建物内の通気構造形成装置において、前記枠取付部は、第一，第二取付枠に設けられた螺子挿通孔と、該螺子挿通孔から第一，第二透孔内へ突出して設けられて、第一，第二取付枠の表面側から螺回操作が可能な螺子と、該螺子に回転可能に設けられ、該螺子の螺回操作によって該螺子の軸方向に移動可能な挟持部とを備え、
前記螺子の螺回操作によって前記第一，第二取付枠と挟持部とで第一，第二壁を挟持することにより、前記第一，第二取付枠を第一，第二壁に取り付け可能であることを特徴とするものである。
【００１７】
請求項１０に記載の発明は、請求項９に記載の建物内の通気構造形成装置において、
前記第一，第二取付枠の前記螺子挿通孔の周囲には、前記螺子の螺回によって前記第一，第二取付枠と挟持部とで第一，第二壁を挟持する際に、前記螺子挿通孔の周囲を第一，第二壁の壁面に弾性的に押し付ける弾性押付部を備えたことを特徴とするものである。
【００１８】
請求項１１に記載の発明は、請求項１０に記載の建物内の通気構造形成装置において、前記弾性押付部は、前記第一，第二取付枠の前記螺子挿通孔の周囲を波型に形成することにより可撓性を有することを特徴とするものである。
【発明の効果】
【００１９】
請求項１に記載の発明によれば、一の部屋と他の部屋との通気は、第一，第二壁に設けられた第一,第二透孔を介して行われるため、各部屋毎にダクトを配管しなくても、各部屋の通気を効率よく行うことができる。
【００２０】
請求項２に記載の発明によれば、第一，第二透孔は、ホールソー等によって開口することができる。
【００２１】
請求項３に記載の発明によれば、蛇腹状の通気ダクトを用いることにより、該通気ダクトを第一，第二取付枠に容易に接続させることができる。
【００２２】
請求項４に記載の発明によれば、第一，第二壁に穿設された第一，第二透孔に通気装置を取り付けることにより、一の部屋と他の部屋との間の通気を効率よく行うことができる。
【００２３】
請求項５に記載の発明によれば、第一，第二取付枠は、枠取付部によって確固として取り付けることができる。
【００２４】
請求項６に記載の発明によれば、通気ダクトは通気ダクト取付孔によって第一，第二取付枠に確固として取り付けられ、又、第一，第二取付枠は壁面当接部によって確固として第一，第二壁に当接する。
【００２５】
請求項７に記載の発明によれば、通気ダクトの姿勢は、通気ダクト支持部によって保持される。
【００２６】
請求項８に記載の発明によれば、通気ダクトは通気ダクト取付孔に確固として取り付けられる。
【００２７】
請求項９に記載の発明によれば、第一，第二取付枠は、螺子の螺回によって、第一，第二壁に容易に取り付けられる。
【００２８】
請求項１０に記載の発明によれば、第一，第二取付枠は、弾性押付部によって、第一，第二壁に密着する。
【００２９】
請求項１１に記載の発明によれば、弾性押付部は、第一，第二取付枠を波型に形成することにより、構成することができる。
【発明を実施するための最良の形態】
【００３０】
図１乃至図１０は本実施形態に係る通気構造を示す。図1は通気構造の斜視図を示し、図2は第一，第二壁に穿設された第一、第二透孔の正面図を示す。図３は部屋の中央からドア側を見た状態の図である。図４は通気構造を形成する通気構造形成装置を分解し、且つ、第二取付枠と第二化粧プレートを省略した状態の斜視図を示す。図５は第一取付枠を表面側から観た状態の図、図６は第一，第二取付枠を第一，第二壁に取り付けるための枠取付部を上側から観た状態の図、図７は枠取付部によって第一取付枠を第一壁に取り付けた状態の側断面図を示す。図８は図７に示す第一取付枠の一部を破断した状態の第一取付枠の斜視図である。図９は通気構造形成装置を組立てる途中の斜視図である。図１０は本実施形態に係る通気構造を建物に用いた状態を示す建物の平面図である。
【００３１】
図1に示すように、当該通気構造１は、建物内において、一の部屋と他の部屋との間の通気性を確保すべく、前記一の部屋の壁を構成する第一壁２と、他の部屋の壁を構成する第二壁３との間に設けられる構造である。
【００３２】
前記通気構造１は、前記第一壁２に穿設された第一透孔４と、前記第二壁３に穿設された第二透孔５（図２に示す）と、これら第一透孔４と第二透孔５に取り付けられる通気構造形成装置６とから構成される。
【００３３】
前記第一，第二透孔4，５は、図２に示すように、長孔状に形成することができる。第一，第二透孔4，５は、複数の円孔を穿設して形成されることができ、この場合、複数の円孔の一部が重合した状態で直列状に並設して形成することができる。第一，第二透孔4，５は、所定のピッチでホールソー等によって穿設することができる。前記第一，第二透孔4，５は、前記第一壁２，第二壁３の任意の位置に設けることができるが、図３に示すように、部屋ＲのドアＤの上方に設けることができる。
【００３４】
図1に示すように、前記通気構造形成装置６は、中央に位置する通気ダクト７と、該通気ダクト７を両側から挟むように取付可能な第一，第二取付枠8、９と、第一，第二取付枠8、９の表面に取付可能な第一，第二化粧プレート１０，１１とを備えた構成である。
【００３５】
図４に示すように、前記通気ダクト７は筒状の周壁１２によって形成され、内側は通気路１３になっている。該周壁１２は、蛇腹状に形成されることにより、通気路１３の軸心方向に沿って伸縮可能であり、又、該通気路１３の軸心に直交する方向へ向けて可撓性を有している。通気ダクト７は前記第一，第二透孔4，５内へ挿通できる形状である。通気ダクト７の断面形状は、例えば、横長状に形成することができる。この場合、通気ダクト７の周壁１２は、一対の長壁１４，１４と一対の短壁１５，１５とから構成される。各長壁１４は、中央の円弧状部１６と、該中央の円弧状部１６から両側へ延設した直線部１７，１７によって構成される。又、各短壁１５は、円弧状に形成される。
【００３６】
前記第一取付枠８と第二取付枠９は、互いに同一形状に形成されているため、第一取付枠８の構成について説明し、第二取付枠９の構成の説明については省略する。図４，図５に示すように、第一取付枠８は板状に形成されている。第一取付枠８の中央には通気ダクト取付孔１８が形成され、該通気ダクト取付孔１８の周囲は、該第一取付枠８が前記第一壁２（図１に示す）の第一透孔４を被うように該第一壁２の表面に当接する壁面当接部１９になっている。該壁面当接部１９の周囲は、該第一取付枠８の裏面に突出する縁部２０によって囲まれている。
【００３７】
前記通気ダクト取付孔１８の断面形状は、前記通気ダクト７の断面形状と同形に形成されて、通気ダクト７が挿通した状態で取り付けできるものである。即ち、前記通気ダクト取付孔１８の断面形状は横方向に長孔状に形成され、図４に示すように、一対の長縁１９、１９と、1対の短縁２０，２０とによって囲まれている。各長縁１９は、円弧状の円弧縁２１と該円弧縁２１から両側へ直線状に延設した直線縁２２，２２とから構成されている。又、短縁２０は、円弧状に形成されている。そして、前記通気ダクト取付孔１８の円弧状縁２１には、該円弧状縁２１に沿って円弧状の通気ダクト支持部２３が立設されている。又、前記通気ダクト取付孔１８の短縁２０には、該短縁２０に沿って円弧状の通気ダクト支持部２４が立設されている。通気ダクト支持部２３と通気ダクト支持部２３は互いに対面する位置に形成され、又、通気ダクト支持部２４と通気ダクト支持部２４は、互いに対面する位置に形成されることにより、これら通気ダクト支持部２３，２３、２４，２４は、通気ダクト取付孔１８に挿通された状態の通気ダクト７の周面に接触して、該通気ダクト７のガタツキを阻止して通気ダクト７の姿勢を支持するものである。これら通気ダクト支持部２３，２３、２４，２４は、通気ダクト７の円弧状壁部１５，１６に面接触できるように、円弧状に湾曲した板状に形成されている。第一取付枠8、第二取付枠９は、樹脂成形することができる。
【００３８】
又、前記通気ダクト支持部２３，２３、２４，２４の内面には、係合部２５が突設されている。係合部２５は、前記通気ダクト取付孔１８内へ挿通された通気ダクト７の蛇腹状の周壁１２の外面凹凸に係合することにより、通気ダクト７の移動やガタツキを阻止して、通気ダクト７を通気ダクト挿通孔１８内において固定させるものである。
【００３９】
前記第一取付枠８には、該第一取付枠８を前記第一，第二壁２，３（図１に示す）に取り付けるための枠取付部２６が設けられている。図６，図７に示すように、枠取付部２６は、前記第一取付枠８に形成された螺子挿通孔２７（図７に示す）と、第一取付枠８の表面側から該螺子挿通孔２７内へ挿通される螺子２９と、該螺子２９に回転可能に設けられた挟持部３０と、螺子２９を回転可能に支持する螺子支持部３１とを備えた構成である。前記挟持部３０は、基端部に螺子孔３２が形成され、先端側は押さえ部３３になり、該螺子孔３２に前記螺子２９が螺着するようになっている。前記押さえ部３３の表面には、凸部３４（図１に示す）が形成されて押さえ部３３表面の摩擦を大きくして、前記押さえ部３３が第一壁２の裏面に当接した際に滑らないようになっている。枠取付部２６は、複数個設けることができるが、この実施形態においては、通気ダクト取付孔１８の上側に2個設け、該通気ダクト取付孔１８の下側に2個設けた場合を示す。
【００４０】
図６，図７に示すように、前記螺子支持部３１は、第一取付枠８の裏面から該裏面に直交する方向、即ち前記第一透孔４内方向へ突出して設けられている。該各螺子支持部３１は、前記第一取付枠８と一体に形成された基端部３５と、該基端部３５に対面する先端部３６と、これら基端部３５と先端部３６との間に設けられた側部３７とから構成されている。ここで、図４に示すように、通気ダクト取付孔１８の上側の二つの螺子支持部３１は上面が開口した形状に形成されている。又、図４に示すように、通気ダクト取付孔１８の下側の二つの螺子支持部３１は下面が開口した形状に形成されている。上側の二つの螺子支持部３１の側部３７の先端側であって、第一取付枠の表面側から観た左側には、図４に示すように、前記挟持部３０が退避するための退避溝３８が形成されている。又、下側の螺子支持部３１は、下面が開口した形態に形成されている。図４に示すように、下側の二つの螺子支持部３１の側部の先端側であって、第一取付枠８の表面側から観た右側には、前記挟持部３０が退避するための退避溝３８が形成されている。
【００４１】
図６，図７に示すように、前記螺子支持部３１の基端部３５及び先端部３６には、螺子挿通孔３９が形成されることにより、第一取付枠８の表面側から挿通された螺子２９がこれら二つの螺子挿通孔３９によって回転自在に支持されるものである。
【００４２】
図５に示すように、前記第一取付枠８の前記螺子挿通孔２７の周囲には、該螺子挿通孔２７の周囲を第一壁２（図１に示す）の表面に押し付ける弾性押付部４０が設けられている。該弾性押付部４０は、前記螺子２９を螺回操作して、図７に示すように、前記第一取付枠８と挟持部３０とで前記第一壁２を挟持する際に、前記螺子挿通孔２７の周囲を弾性的に撓ませて螺子挿通孔２７の周囲を第一壁２の表面に押し付けるものである。これにより、第一取付枠８が第一壁２の表面に密着することができるものである。
【００４３】
図８に示すように、前記弾性押付部４０は、前記通気ダクト取付孔１８の縁に沿って、前記螺子挿通孔２７の両側に形成された波型部４１によって構成することができるが、図５に示すように、第一取付枠８の縁部２０と該波型部４１との間に開口４２を形成し、更に、螺子挿通孔２７と該縁部２０との間にも開口４３を形成することにより、該螺子挿通孔２７の近傍は第一取付枠８の厚さ方向へ可撓性を有して、該第一取付枠８の厚さ方向へ弾性的に撓むことができるものである。
【００４４】
又、図５に示すように、前記第一取付枠８の縁部２０の表面には、取付段部４４が形成されて、図１に示すように、前記第一化粧プレート１０の縁部４５が嵌合すると共に、図５に示すように、第一取付枠８の縁部２０に沿って、間欠的に複数の取付孔４６が形成されて、後述するように、前記第一化粧プレート１０の４７が取り付けできるようになっている。
【００４５】
前記第一化粧プレート１０と第二化粧プレート１１（図１に示す）は互いに同一形状であるため、第一化粧プレート１０について構成を説明し、第二化粧プレート１１については構成の説明を省略する。第一化粧プレート１０は前記第一取付枠８の表面を被う形状に形成されている。該第一化粧プレート１０は板状に形成され、複数の通気孔４８が形成されている。該第一化粧プレート１０の裏面の縁部４５に沿って前記係合突起４７が形成されている。該係合突起４７の先端は、鉤状に形成されている。前記第一化粧プレート１０を第一取付枠８の表面に押し当てることにより、前記第一化粧プレート１０の縁部４５部は、前記第一取付枠８の取付段部４４に係合し、又、前記係合突起４７は、第一取付枠８の前記係合孔４６に係合するものである。これによって、第一化粧プレート１０が第一取付枠８の表面に取り付けられるものである。
【００４６】
次ぎに、このように構成された通気構造を組立てる場合について説明する。先ず、予め、第一壁２（図１に示す）と第二壁３（図１に示す）の任意の位置に第一透孔４と第二透孔５（図２に示す）をそれぞれ穿設する。次ぎに、第一透孔４に第一取付枠８を取り付ける。図９に示すように、この場合、第一取付枠８の裏面が第一壁２の第一透孔４を被うように、該第一取付枠８を第一透孔４に接近させて、第一取付枠８の枠取付部２６を第一透孔４内へ侵入させる。この状態において、該第一取付枠８の壁面当接部１９が第一透孔４の周縁部に当接している。又、この状態においては、図９に示すように、通気ダクト取付孔１８の上側に位置する枠取付部２６の挟持部３０は、螺子支持部３１の退避溝３８内に位置している。又、通気ダクト取付孔１８の下側に位置する枠取付部２６の挟持部３０も、螺子支持部３１の退避溝３８内に位置している状態にある。
【００４７】
次ぎに、通気ダクト取付孔１８の上側に位置する螺子２９をドライバーによって螺回すると、挟持部３０は図１に示すように、退避溝３８内から脱出した後、螺子支持部３１の側部３７に当たることによって、起立する。そして、更に、螺子２９を螺回すると、挟持部３０は螺子２９と一緒に螺回しようとするが、該挟持部３０は螺子支持部３１の側部３７に当たっているため螺回することができない。このため、挟持部３０は図６に示すように、螺子２９の軸心方向に沿って第一壁２に接近して該第一壁２に当接する。そして、螺子２９を更に螺回することにより、該挟持部３０と第一取付枠８の裏面とで、第一壁２を挟持する。同様にして、他の3個の枠取付部２６の螺子２９を螺回することにより、４個の枠取付部２６によって第一壁２を挟持するようにして、第一取付枠８を第一壁２に取り付ける。この際、第一取付枠８の螺子挿通孔２７の周囲は、弾性押付部４０によって、第一壁２の表面に弾性的に押し付けられるため、第一取付枠８と第一壁２との間に隙間は生じ難い。又、同様にして、第二取付枠９（図１に示す）を第二壁３に取り付ける。この場合、図１に示すように、第二取付枠９は第一取付枠８に対して向かい合う姿勢で第二壁３に取り付けられる。
【００４８】
次ぎに、図９に示すように、通気ダクト７の一端側を第一壁２の表面側から第一取付枠８に接近させて、該通気ダクト７の一端側を第一取付枠８の通気ダクト取付孔１８内へ挿入する。そして、該通気ダクト７を更に押し込むことにより、該通気ダクト７の一端側を第二取付枠９（図１に示す）の通気ダクト取付孔（図示せず）内まで導く。この状態においては、通気ダクト７の両端部は、第一取付枠８の通気ダクト取付孔１８内と第二取付枠９（図１に示す）の通気ダクト取付孔（図示せず）内とにそれぞれ位置している。この状態において、図５に示すように、第一，第二取付枠８，９の通気ダクト取付孔１８に形成されている係合部２５を、取付通気ダクトの外面凹凸に係合することにより、該通気ダクト７が移動しないように該通気ダクト７の位置を固定する。前記通気ダクト７は蛇腹状に形成され可撓性を有しているため、容易に変形することができて、取付位置の微調整を容易にすることが可能である。
【００４９】
次ぎに、第一取付枠８の表面側に第一化粧プレート１０の裏面を接近させて、当接させると、第一化粧プレート１０の係合突起４７が第一取付枠８の係合孔４６に係合し、又、第一化粧プレート１０の縁部４５が第一取付枠８の係合段部４４（図４に示す）に係合することにより、該第一取付枠８の表面に第一化粧プレート１０が装着される。
【００５０】
このように構成された通気構造１を部屋と部屋との間に設けた場合の作用について、図１０に基づき説明する。尚、図１０は、中央に、部屋としての廊下Ｒ１が設けられ、廊下Ｒ１の左右に部屋Ｒ２，Ｒ３，Ｒ４，Ｒ５が設けられた場合の部屋の配置を示す。部屋Ｒ２，Ｒ３，Ｒ４，Ｒ５の外壁には吸気口１ａ，１ｂ，１c，１ｄが設けられている。又、部屋Ｒ２と部屋Ｒ３との間には、通気構造１ｅが設けられ、更に、部屋Ｒ３，Ｒ４，Ｒ５と廊下Ｒ１との間には、通気構造１ｆ，１ｇ，１ｈが設けられている。
【００５１】
そして、換気扇Ｓを作動させると、部屋Ｒ２内の空気は通気構造１ｅを介して部屋Ｒ３内に流入し、通気構造１ｆを介して廊下Ｒ１へ導かれた後、換気扇Ｓによって部屋外へ排気される。又、部屋Ｒ3，Ｒ４，Ｒ５内の空気は、通気構造１ｆ，１ｇ，１ｈによって廊下Ｒ１へ導かれた後、換気扇Ｓによって部屋外へ排気される。前記部屋Ｒ２，Ｒ３，Ｒ４，Ｒ５内へは、吸気口１ａ，１ｂ，１c，１ｄによって、新鮮な外気が補給される。
【００５２】
このため、従来技術のように、各部屋Ｒ１，Ｒ２，Ｒ３，Ｒ４毎に換気扇Ｓを設けたり、部屋Ｒ１，Ｒ２，Ｒ３，Ｒ４同士をダクトで連結する必要がない。このため、ダクトを配管する施工が不要となるだけでなく、ダクトを配管するためのスペースが不要となる上に安価なコストにおいて、通気構造１を設けることができる。又、本実施形態においては、第一壁２，第二壁３の任意の位置に、随時、第一透孔４、第二透孔５を穿設し、これら第一透孔４、第二透孔５に通気構造形成装置６を組付けるだけの作業によって、必要に応じて、随時、通気構造１を設けることができる。
【００５３】
尚、前述の実施形態においては、第一取付枠８と第二取付枠９とを同一形状に形成し、又、第一化粧プレート１０と第二化粧プレート１１とを互いに同一形状に形成した場合について説明したが、第一取付枠８と第二取付枠９には、互いに異なった色彩を施したり、互いに異なった装飾を施し、又、第一化粧プレート１０と第二化粧プレート１１には、互いに異なった色彩を施したり、互いに異なった装飾を施しても良いことは勿論である。
【図面の簡単な説明】
【００５４】
【図１】通気構造の斜視図である。
【図２】第一，第壁に穿設された第一，第二透孔を正面から観た状態の図である。
【図３】部屋の中央からドア側を見た状態の図である。
【図４】通気構造形成装置を分解し、しかも、第二取付枠と第二化粧プレートを省略した状態の斜視図である。
【図５】第一取付枠の正面図である。
【図６】枠取付部を上側から観た状態の図である。
【図７】枠取付部の側断面図である。
【図８】第一取付枠の一部を破断した状態の斜視図である。
【図９】第一取付枠、通気ダクト、及び第一化粧プレートを第一壁に取り付ける過程を示す図である。
【図１０】通気ダクトを部屋同士の間に設けて通気する場合の作用について説明する図である。
【図１１】従来技術の通気装置を示す図である。
【符号の説明】
【００５５】
１  通気構造
２  第一壁
３  第二壁
４  第一透孔
５  第二透孔
６  通気構造形成装置
７  通気ダクト
８  第一取付枠
９  第二取付枠
１０  第一化粧プレート
１１  第二化粧プレート
１８  通気ダクト取付孔
１９  壁面当接部
２３  通気ダクト支持部
２４  通気ダクト支持部
２５  係合部
２６  枠取付部
２９  螺子
３０  挟持部
４０  弾性押付部
１ａ  吸気口
１ｂ  吸気口
１c    吸気口
１ｄ  吸気口
１ｅ  通気構造
１ｆ  通気構造
１ｇ  通気構造
１ｈ  通気構造
Ｒ  部屋
Ｒ１  部屋
Ｒ２  部屋
Ｒ３  部屋
Ｒ４  部屋
Ｒ５  部屋
【図１】
2006105563.tif 000003
【図２】
2006105563.tif 000004
【図３】
2006105563.tif 000005
【図４】
2006105563.tif 000006
【図５】
2006105563.tif 000007
【図６】
2006105563.tif 000008
【図７】
2006105563.tif 000009
【図８】
2006105563.tif 000010
【図９】
2006105563.tif 000011
【図１０】
2006105563.tif 000012
【図１１】
2006105563.tif 000013